(57)【要約】【課題】表示素子による変調動作のタイミングとカラーホイールの回転タイミングの調整を良好に行うことができる投写型表示装置を提供する。【解決手段】プロジェクタは、カラーホイール２１と、カラーホイール２１を回転させるためのモータ２２と、カラーホイール２１の回転基準位置を検出してインデックス信号を出力する位置センサ２３と、インデックス信号に基づいてモータ２２を制御するモータ制御回路１０８と、カラーホイール２１により分離された各色の光を変調するＤＭＤ５０と、ＤＭＤ制御信号を生成する映像信号処理回路１０５と、ＤＭＤ５０から出射された光の色度に応じた受光信号を出力するカラーセンサ７０と、各光がＤＭＤ５０に照射されるタイミングと各光に対応するＤＭＤ制御信号が出力されるタイミングとが同期するように、受光信号に基づいてインデックス信号の出力タイミングを調整するＣＰＵ１１０とを備える。【選択図】図２
2012003213.tif 000002
【特許請求の範囲】
【請求項１】
投写型表示装置において、
色の異なる複数のセグメントが回転方向に並べられ、これらセグメントによって光源からの白色光を時分割で複数の色の光に分離するカラーホイールと、
カラーホイールを回転させるためのモータと、
前記カラーホイールに設けられた回転基準位置を検出して位置検出信号を出力する位置検出部と、
前記位置検出信号に基づいて前記モータを制御するモータ制御部と、
前記カラーホイールにより分離された各色の光を変調する表示素子と、
前記表示素子に前記各色の光に応じた変調動作を行わせるための制御信号を生成する信号処理部と、
前記表示素子から出射された光の色度に応じた色検出信号を出力する色検出部と、
前記各色の光が前記表示素子に照射されるタイミングと前記各色の光に対応する前記制御信号が前記信号処理部から出力されるタイミングとが同期するように、前記色検出信号に基づいて、前記位置検出信号の出力タイミングを調整する調整部と、
を備えたことを特徴とする投写型表示装置。
【請求項２】
請求項１に記載の投写型表示装置において、
前記調整部は、単色のテスト画像に基づく映像光が前記表示素子から出射された状態で、前記色検出部から前記色検出信号を取得し、取得した色検出信号に基づいて、前記テスト画像の色純度が最大となるように前記位置検出信号の出力タイミングを調整する、
ことを特徴とする投写型表示装置。
【請求項３】
請求項２に記載の投写型表示装置において、
前記信号処理部は、垂直同期信号に同期させて前記制御信号を出力するとともに、
さらに、設定された遅延時間だけ前記垂直同期信号を遅延させて前記モータ制御部に出力する信号遅延部を備え、
前記調整部は、前記色検出信号に基づいて、前記テスト画像の色純度が最大となるように前記遅延時間を設定し、
前記モータ制御部は、遅延した前記垂直同期信号に前記位置検出信号が同期するよう、前記モータを制御する、
ことを特徴とする投写型表示装置。
【請求項４】
請求項１ないし３の何れか一項に記載の投写型表示装置において、
単色のテスト画像に基づく映像光が前記表示素子から出射された状態で、前記色検出部から前記色検出信号を取得し、取得した色検出信号に基づいて、前記テスト画像の色純度を取得し、取得した色純度に基づいて、前記カラーホイールの適否を判定する判定部をさらに備える、
ことを特徴とする投写型表示装置。
【請求項５】
請求項４に記載の投写型表示装置において、
前記調整部は、前記判定部により前記カラーホイールが適正でないと判定されると、前記位置検出信号の出力タイミングの調整を行わない、
ことを特徴とする投写型表示装置。
【請求項６】
請求項１ないし５の何れか一項に記載の投写型表示装置において、
前記表示素子は、ＤＭＤ（デジタル・マイクロミラー・デバイス)であり、
前記色検出部には、ＤＭＤからのオフ光が照射される、
ことを特徴とする投写型表示装置。
【発明の詳細な説明】
【技術分野】
【０００１】
本発明は、光源からの光を表示素子により変調して被投写面上に拡大投写する投写型表示装置に関し、特に、光源からの光をカラーホイールによって色分離し、分離した光を表示素子によって変調する投写型表示装置に用いて好適なものである。
【背景技術】
【０００２】
従来、被投写面（スクリーン等）上に画像を拡大投写する投写型表示装置（以下、「プロジェクタ」という）の１つのタイプとして、ＤＭＤ（Digital Micro-mirror Device）等の表示素子を１つだけ用いる、いわゆる単板式のプロジェクタが知られている。
【０００３】
この種のプロジェクタでは、光源と表示素子との間にカラーホイールが配されている。カラーホイールは、たとえば、特定の波長領域の光（赤色、緑色、青色等の光）のみを透過する複数個のセグメント（透過領域）が回転方向に配された構成を有し、モータによって回転駆動される。光源からの光は、カラーホイールにより赤色、緑色、青色等の各色光に分離され、各色光が時分割で表示素子に照射される。表示素子では、各色光に応じた変調が行われ、変調された光（以下、「映像光」という）が順次、被投写面に映し出される。このとき、各色光の切り替えは高速で行われるため、ユーザの目には、被投写面上の各光による映像が合成されて１つの映像として映る。
【０００４】
かかるプロジェクタでは、各セグメントで分離された各色光が表示素子に照射されているときに、その色光に対応する変調動作が行われるように、表示素子に変調動作を行わせるための制御信号の出力タイミングとカラーホイールの回転タイミングとを同期させる必要がある。
【０００５】
このため、カラーホイールには、その回転位置を検出するために、マーカーと、マーカー位置(回転基準位置)を検出するための位置センサとが設けられる。位置センサからは、回転の指標となる位置検出信号（以下、「インデックス信号」という）が出力される。表示素子への制御信号は、外部から入力された映像信号に含まれる垂直同期信号に同期して出力され、この垂直同期信号と一定のタイミング（たとえば、垂直同期信号と同時、あるいは、所定時間だけ遅延したタイミング）を持ってインデックス信号が出力されるように、カラーホイールの回転が制御される。これにより、表示素子への制御信号の出力タイミングとカラーホイールの回転タイミングとの同期が図られる。
【０００６】
しかしながら、マーカーや位置センサの取付位置には、製造上の誤差が生じ得る。これにより、回転基準位置の検出にずれが生じる惧れがある。こうなると、表示素子への制御信号の出力タイミングとカラーホイールの回転タイミングとの同期が適正に図れず、投写画像の画質が低下する惧れがある。
【０００７】
このため、プロジェクタを製造する際に、マーカーや位置センサの位置ずれに合わせて、インデックス信号の出力タイミングを調整する作業が行う必要があった。この場合、たとえば、調整方法として、プロジェクタからの出射された映像光を受光する色光検出装置がプロジェクタに接続され、テスト画像が投写された状態で、色光検出装置から適正な出力が得られるように、インデックス信号の出力タイミングが調整されるような方法がとられ得る（特許文献１参照）。
【先行技術文献】
【特許文献】
【０００８】
【特許文献１】特開２００４−３４７６４５号公報
【発明の概要】
【発明が解決しようとする課題】
【０００９】
しかしながら、上記の調整方法では、プロジェクタとは別に設けられた光検出装置をプロジェクタに接続する必要があるため、プロジェクタ１台ずつしか調整作業が行えない。また、製造時にしか調整作業が行えず、ユーザが自らカラーホイールを交換した際には調整作業が行えない。よって、ユーザ自身によってカラーホイールが交換された際には、表示素子への制御信号の出力タイミングとカラーホイールの回転タイミングとの同期が適正に図れなくなる惧れがある。
【００１０】
本発明は、かかる課題に鑑みでなされたものであり、表示素子による変調動作のタイミングとカラーホイールの回転タイミングの調整を良好に行うことができる投写型表示装置を提供することを目的とする。
【課題を解決するための手段】
【００１１】
本発明の投写型表示装置は、色の異なる複数のセグメントが回転方向に並べられ、これらセグメントによって光源からの白色光を時分割で複数の色の光に分離するカラーホイールと、カラーホイールを回転させるためのモータと、前記カラーホイールに設けられた回転基準位置を検出して位置検出信号を出力する位置検出部と、前記位置検出信号に基づいて前記モータを制御するモータ制御部と、前記カラーホイールにより分離された各色の光を変調する表示素子と、前記表示素子に前記各色の光に応じた変調動作を行わせるための制御信号を生成する信号処理部と、前記表示素子から出射された光の色度に応じた色検出信号を出力する色検出部と、前記各色の光が前記表示素子に照射されるタイミングと前記各色の光に対応する前記制御信号が前記信号処理部から出力されるタイミングとが同期するように、前記色検出信号に基づいて、前記位置検出信号の出力タイミングを調整する調整部とを備える。
【００１２】
たとえば、前記調整部は、単色のテスト画像に基づく映像光が前記表示素子から出射された状態で、前記色検出部から前記色検出信号を取得し、取得した色検出信号に基づいて、前記テスト画像の色純度が最大となるように前記位置検出信号の出力タイミングを調整するような構成とされ得る。
【００１３】
また、たとえば、前記信号処理部は、垂直同期信号に同期させて前記制御信号を出力するような構成とされ得る。この場合、設定された遅延時間だけ前記垂直同期信号を遅延させて前記モータ制御部に出力する信号遅延部が備えられる。また、前記調整部は、前記色検出信号に基づいて、前記テスト画像の色純度が最大となるように前記遅延時間を設定するような構成とされる。さらに、前記モータ制御部は、遅延した前記垂直同期信号に前記位置検出信号が同期するよう、前記モータを制御するような構成とされる。
【００１４】
本発明の投写型表示装置によれば、製造上の誤差により回転基準位置にずれが生じても、カラーホイールの回転タイミングと表示素子による変調動作のタイミングとの同期を適正にとることができる。
【００１５】
しかも、投写型表示装置本体に設けた色検出部を用いて位置検出信号の出力タイミングを調整するようにしているので、製造時だけでなく、ユーザが自身でカラーホイールを交換した場合にも調整作業を行うことができ、カラーホイールの回転タイミングと表示素子による変調動作のタイミングとの同期の適正化を図ることができる。
【００１６】
本発明の投写型表示装置は、単色のテスト画像に基づく映像光が前記表示素子から出射
された状態で、前記色検出部から前記色検出信号を取得し、取得した色検出信号に基づいて、前記テスト画像の色純度を取得し、取得した色純度に基づいて、前記カラーホイールの適否を判定する判定部をさらに備える構成とされ得る。
【００１７】
この場合、前記調整部は、前記判定部により前記カラーホイールが適正でないと判定されると、前記位置検出信号の出力タイミングの調整を行わないよう構成され得る。あるいは、カラーホイールが適正でないことを報知する報知部を配しても良い。
【００１８】
このような構成によれば、不適正なカラーホイールに対する位置検出信号の出力タイミングの調整を回避できる。また、ユーザにカラーホイールが適正でないことを知らせることができる。
【００１９】
本発明の投写型表示装置において、前記表示素子は、ＤＭＤ（デジタル・マイクロミラー・デバイス)とされ得る。この場合、前記色検出部には、ＤＭＤからのオフ光が照射されるような構成とされ得る。
【００２０】
このような構成とすれば、通常の運転時に、色検出部がスクリーンに投写される映像光の妨げにならない。
【発明の効果】
【００２１】
以上のとおり本発明によれば、表示素子による変調動作のタイミングとカラーホイールの回転タイミングの調整を良好に行うことができる投写型表示装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係るプロジェクタの構成を示す図である。
【図２】実施の形態に係るプロジェクタの回路系の構成を示す図である。
【図３】実施の形態に係るカラーホイールユニットとＤＭＤの駆動タイミングを示す図である。
【図４】実施の形態に係るインデックス調整処理に係る制御動作を示すフローチャートである。
【図５】実施の形態に係る最適なインデックス値を求めるための動作について説明するための図である。
【図６】実施の形態の効果について説明するための図である。
【図７】実施の形態に係る第１の識別処理に係る制御動作を示すフローチャートである。
【図８】実施の形態に係る赤色のラスタパターンを投写したときのインデックス値に対する色度の変化特性を示す図である。
【図９】実施の形態に係る赤色のラスタパターンを投写したときのインデックス値に対する色度の変化特性を示す図である。
【図１０】実施の形態に係る第２の識別処理に係る制御動作を示すフローチャートである。
【図１１】実施の形態に係る赤色のラスタパターン、緑色のラスタパターン、青色のラスタパターンを投写したときのインデックス値に対する色度の変化特性を示す図である。
【図１２】実施の形態に係る赤色のラスタパターン、緑色のラスタパターン、青色のラスタパターンを投写したときのインデックス値に対する色度の１回微分値の変化特性を示す図である。
【発明を実施するための形態】
【００２４】
以下、本発明の実施の形態につき図面を参照して説明する。
【００２５】
図１は、本実施の形態に係るプロジェクタ１の構成を示す図である。図１（ａ）は光学系の構成を示し、図１（ｂ）はカラーホイールユニット２０の構成を示す。
【００２６】
図１（ａ）に示すように、プロジェクタ１は、光源ランプ１０と、カラーホイールユニット２０と、ロッドインテグレータ３０と、リレー光学系４０と、ＤＭＤ５０と、投写光学系６０と、カラーセンサ７０とを備えている。
【００２７】
光源ランプ１０は、発光管１１と、リフレクタ１２とを有する。発光管１１には、メタルハライドランプ、超高圧水銀ランプ、キセノンランプ等が用いられる。リフレクタ１２は、楕円面状に形成されている。発光管１１から発せられた白色光は、リフレクタ１２によって反射され、収束しつつ前方へ向かう。
【００２８】
光源ランプ１０から出射された白色光は、カラーホイールユニット２０を透過して、ロッドインテグレータ３０の入射面に集光される。
【００２９】
カラーホイールユニット２０は、カラーホイール２１が光源ランプ１０から出射された白色光の集光点付近に位置するように配されている。カラーホイールユニット２０は、たとえば、図示しない保持部にはめ込み固定される等、ユーザ自身が交換できるように着脱容易に配されている。
【００３０】
カラーホイールユニット２０は、カラーホイール２１と、モータ２２と、位置センサ２３とを備えている。カラーホイール２１は、図１（ｂ）に示すように、リング形状を有し、回転方向に並べられた、白、シアン、青、緑、黄および赤の６つのセグメント２１Ｗ、２１Ｃ、２１Ｂ、２１Ｇ、２１Ｙ、２１Ｒにより構成されている。
【００３１】
白セグメント２１Ｗは、可視光をそのまま透過する光学特性を有する。即ち、白セグメント２１Ｗは、透明な領域であり、白色光（以下「Ｗ光」という）がそのまま透過する。Ｃセグメント２１Ｃは、シアン色波長帯の光（以下、「Ｃ光」という）のみを透過する光学特性を有する。Ｂセグメント２１Ｂは、青色波長帯の光（以下、「Ｂ光」という）のみを透過する光学特性を有する。Ｇセグメント２１Ｇは、緑色波長帯の光（以下、「Ｇ光」という）のみを透過する光学特性を有する。Ｙセグメント２１Ｙは、黄色波長帯の光（以下、「Ｙ光」という）のみを透過する光学特性を有する。Ｒセグメント２１Ｒは、赤色波長帯の光（以下、「Ｒ光」という）のみを透過する光学特性を有する。
【００３２】
本実施の形態では、Ｒ、Ｇ、Ｂの３つのセグメント２１Ｒ、２１Ｇ、２１Ｂの角度は、ほぼ同等とされており、Ｙ、Ｃの２つのセグメント２１Ｙ、２１Ｃの角度は、３つのセグメント２１Ｒ、２１Ｇ、２１Ｂの角度の３分の１程度とされている。また、Ｗのセグメント２１Ｗの角度は、３つのセグメント２１Ｒ、２１Ｇ、２１Ｂの角度の２分の１程度とされている。
【００３３】
カラーホイール２１の中央に形成された開口部には、モータ２２により回転される回転板２２ａが固定されている。モータ２２が駆動されると、回転板２２ａが回転してカラーホイール２１が回転する。
【００３４】
位置センサ２３は、カラーホイール２１の回転位置を検出するためのものである。カラーホイール２１には、回転基準位置となるマーカー２１ａが配されており、マーカー２１ａの回転軌道上の予め決められた位置に位置センサ２３が配されている。カラーホイール２１が１回転する度に、位置センサ２３によってマーカー２１ａが検出され、回転の指標となるインデックス信号が出力される。たとえば、位置センサ２３は、発光素子および受光素子で構成され、マーカー２１ａは反射部材で構成される。この場合、発光素子から出てマーカー２１ａにより反射された光を受光素子で受光することにより、マーカー２１ａを検出することができる。なお、本実施の形態では、マーカー２１ａが、Ｃセグメント２１ＣとＢセグメント２１Ｂとの境界位置に配されている。
【００３５】
カラーホイール２１が回転すると、各セグメント２１Ｗ、２１Ｃ、２１Ｂ、２１Ｇ、２１Ｙ、２１Ｒに光が順次入射され、各セグメント２１Ｗ、２１Ｃ、２１Ｂ、２１Ｇ、２１Ｙ、２１Ｒを透過したＷ光、Ｃ光、Ｂ光、Ｇ光、Ｙ光およびＲ光が、カラーホイール２１から時分割で出射される。
【００３６】
カラーホイール２１を透過した光は、ロッドインテグレータ３０に入射する。ロッドインテグレータは、ガラス材料で形成され、四角柱形状を有する。ロッドインテグレータ３０に入射した光は、ロッド内部を伝搬する際に内壁面で繰り返し反射され、照度分布が均一化されて出射面から出射される。
【００３７】
ロッドインテグレータ３０から出射された光はリレー光学系４０を構成する３つのリレーレンズ４１、４２、４３とミラー４４により導光され、ＤＭＤ５０に照射される。
【００３８】
ＤＭＤ５０には、時分割でＷ光、Ｃ光、Ｂ光、Ｇ光、Ｙ光およびＲ光が順次照射される。ＤＭＤ５０は、マトリクス状に配されたマイクロミラーを備え、入射された各光に応じた駆動信号に基づいてマイクロミラーがオン・オフ駆動され、各光を変調する。１つのマイクロミラーは、１つの画素を構成する。マイクロミラーのオン時にマイクロミラーによって反射された光（オン光）は、投写光学系６０へと向かい、マイクロミラーのオフ時にマイクロミラーによって反射された光（オフ光）は、投写光学系６０から外れた所定の位置へ向かう。
【００３９】
ＤＭＤ５０の変調動作により生成された映像光は、投写光学系６０に入射され、投写光学系６０によってスクリーン上に投写される。
【００４０】
カラーホイール２１は、非常に高速で回転するため、各セグメント２１Ｗ、２１Ｃ、２１Ｂ、２１Ｇ、２１Ｙ、２１Ｒの切り替えが非常に高速で行われる。このため、スクリーン上に順次投写された各光による映像が、ユーザの目には一つの映像として映る。
【００４１】
カラーセンサ７０は、ＤＭＤ５０からのオフ光の光路上に配置されている。カラーセンサ７０には、ＤＭＤ５０からのオフ光が入射する。カラーセンサ７０は、Ｒ光、Ｇ光、Ｂ光にそれぞれ感度を有する３つのフォトダイオードを備え、入射した光の色度に応じた受光信号が各フォトダイオードから出力される。
【００４２】
図２は、本実施の形態に係るプロジェクタ１の回路系の構成を示す図である。
【００４３】
入力切替回路１０１は、複数の入力端子の中から接続する入力端子を切り替える回路である。入力切替回路１０１によって接続された入力端子から映像信号が入力される。入力された映像信号は、アナログ信号である場合には、Ａ／Ｄコンバータ１０２によってデジタル信号に変換されて補正回路１０３に入力され、デジタル信号である場合には、Ａ／Ｄコンバータ１０２を介することなく補正回路１０３に入力される。
【００４４】
補正回路１０３は、スケーリング補正(画素数の補正)、ガンマ補正など各種の補正処理を行う。補正回路１０３から出力された映像信号は、同期回路１０４に入力されるとともに、映像信号処理回路１０５に入力される。
【００４５】
同期回路１０４は、映像信号から垂直同期信号（Vsync）を抽出して、映像信号処理回路１０５および遅延回路１０７へ出力する。
【００４６】
映像信号処理回路１０５は、入力された映像信号から、ＤＭＤ５０の各画素（マイクロミラー）が変調動作を行うためのＤＭＤ制御信号を生成し、ＤＭＤドライバー１０６へ出力する。ＤＭＤドライバー１０６は、ＤＭＤ制御信号に従ってＤＭＤ５０を駆動する。なお、ＤＭＤ制御信号は、ＤＭＤ５０の１画素ごとに階調を定めた信号であり、カラーホイール２１のセグメント構成、たとえばＷＣＢＧＹＲのセグメントに合わせた制御信号により構成されている。
【００４７】
遅延回路１０７は、入力された垂直同期信号を、設定されたインデックス値に従って遅延させ、遅延した垂直同期信号（Delay VSync）（以下、「遅延同期信号」という）をモータ制御回路１０８へ出力する。
【００４８】
モータ制御回路１０８には、位置センサ２３からインデックス信号が入力される。モータ制御回路１０８は、インデックス信号が遅延同期信号に同期するよう、インデックス信号に基づいてモータ制御信号を生成し、モータドライバー１０９へ出力する。モータドライバー１０９は、モータ制御信号に従ってモータ２２を駆動する。
【００４９】
モータ２２の回転制御の方法としては、たとえば、ＰＷＭ制御が用いられる。モータドライバー１０９には、モータ２２が一定の回転角度だけ回転したことを検出する回転センサが配されており、当該回転センサからの検出信号が回転速度信号としてモータ制御回路１０８に入力される。モータ制御回路１０８は、回転速度信号から得られる回転速度が所望の回転速度となるようにモータ２２への印加電流量を調整する。
【００５０】
ＣＰＵ１１０は、遅延回路１０７および映像信号処理回路１０５を制御し、後述するインデックス調整処理を実行する。また、ＣＰＵ１１０は、インデックス調整処理において、カラーセンサ７０の３つのフォトダイオードから受光信号を取得し、取得した受光信号から、カラーセンサ７０に入射した光の色純度、例えば色度（ｘ値、ｙ値）を求める。そして、求めた色度を用いてインデックス値の調整を行い、調整により得られたインデックス値を遅延回路１０７に設定する。
【００５１】
図３は、カラーホイールユニット２０とＤＭＤ５０の駆動タイミングを示す図である。
【００５２】
図３に示すように、本実施の形態では、垂直同期信号に同期して、映像信号処理回路１０５からＷ光、Ｃ光、Ｂ光、Ｇ光、Ｙ光およびＲ光にそれぞれ対応するＤＭＤ制御信号が順次出力される。本実施の形態では、垂直同期信号の１周期の間に、１フレーム分のＤＭＤ制御信号が２回出力される。これに合わせて、垂直同期信号の１周期の間にカラーホイール２１が２回転するように、カラーホイール２１の回転速度が設定されている。
【００５３】
各色光に対応するＤＭＤ制御信号の長さ（出力時間）は、対応するセグメント２１Ｗ、２１Ｃ、２１Ｂ、２１Ｇ、２１Ｙ、２１Ｒの角度に応じて設定されており、カラーホイール２１が、設定された回転速度で回転した場合に、光源ランプ１０からの白色光が、各セグメント２１Ｗ、２１Ｃ、２１Ｂ、２１Ｇ、２１Ｙ、２１Ｒを透過している間だけ各セグメント２１Ｗ、２１Ｃ、２１Ｂ、２１Ｇ、２１Ｙ、２１Ｒに対応するＤＭＤ制御信号が出
力される。
【００５４】
遅延同期信号（Delay VSync）は、垂直同期信号（VSync）から一定の遅延時間だけ遅れたタイミングで出力され、この遅延同期信号にインデックス信号が同期するように、カラーホイール２１が回転する。
【００５５】
遅延時間は、インデックス信号を遅延同期信号に同期させると、各セグメント２１Ｗ、２１Ｃ、２１Ｂ、２１Ｇ、２１Ｙ、２１Ｒの回転位置とそれに対応するＤＭＤ制御信号とが同期するような時間に設定されている。遅延時間は、遅延回路１０７に設定されるインデックス値と一対一に対応しており、インデックス値に応じた時間に設定される。遅延時間は、０〜所定時間（たとえば、設定した回転速度でカラーホイール２１が１８０°回転するのに要する時間）の範囲で調整が可能とされており、インデックス値も、それに応じた所定の範囲（たとえば、０〜３６０）で調整が可能とされている。
【００５６】
カラーホイールユニット２０におけるマーカー２１ａと位置センサ２３の取付位置によって、インデックス信号と各セグメントとの回転位置との関係が定まるので、これによって遅延時間（インデックス値）も定まる。しかしながら、マーカー２１ａや位置センサ２３の取付位置には、製造上の誤差が生じ得る。これにより、インデックス信号と各セグメントとの回転位置との関係にずれが生じる惧れがある。よって、遅延時間を固定した場合には、カラーホイール２１の回転タイミングとＤＭＤ５０へのＤＭＤ制御信号の出力タイミングの同期が適正にとれない場合が起こり得る。
【００５７】
そこで、本実施の形態では、インデックス値、即ち遅延時間を適正な値に調整するインデックス調整処理が、ＣＰＵ１１０による制御の下で実行される。以下、インデックス調整処理について詳述する。
【００５８】
図４は、インデックス調整処理に係る制御動作を示すフローチャートである。図５は、最適なインデックス値を求めるための動作について説明するための図である。
【００５９】
インデックス調整処理は、操作ボタンを用いて所定の操作がなされると実行される。たとえば、インデックス調整処理は、工場においてプロジェクタが製造された際、作業者の操作によって実行され得る。さらに、ユーザが自身でカラーホイールユニット２０を交換した際に、ユーザの操作によっても実行され得る。
【００６０】
図４を参照して、ＣＰＵ１１０は、赤単色からなるラスタパターン（テスト画像）を映像信号処理回路１０５に生成させて、スクリーンへ投写させる（Ｓ１０１）。この場合、映像信号処理回路１０５からは、Ｒ光に対応するＤＭＤ制御信号（以下、「Ｒ信号」という）のみが、Ｒ信号の出力タイミングで出力される。なお、ラスタパターンに関するデータは、図示しないメモリに予め記憶されている。
【００６１】
インデックス値が適正でない場合には、Ｒ信号が出力されている期間に、Ｒ光以外の光がＤＭＤ５０に照射されるため、ラスタパターンは純粋な赤色とはならず、その色純度が低くなる。赤色のラスタパターンの場合、その色純度が高くなるほど色度（ｘ値、ｙ値）の中のｘ値が大きくなる。インデックス値が適正な値に近づくにつれて、Ｒ信号が出力されている期間にＤＭＤ５０へ照射されるＲ光の光量が多くなっていき、これに伴って、色純度が高くなっていくので、ｘ値が大きくなっていく。そして、インデックス値が最適な値になると、Ｒ信号が出力されている期間に、Ｒ光のみがＤＭＤ５０に照射されるようになるため、ラスタパターンが純粋な赤色となる。このとき、ラスタパターンの色純度がピークとなり、ｘ値が最も大きくなる。図５（ａ）〜（ｃ）に示すように、インデックス値を調整範囲内で変化させると、色純度のピーク、即ちｘ値のピークが現れる。
【００６２】
ＣＰＵ１１０は、赤色のラスタパターンについて、その色純度がピークとなるインデックス値を求めるべく、以下のステップＳ１０２〜Ｓ１０６の処理を行う。
【００６３】
ＣＰＵ１１０は、まず、図５（ａ）に示すように、インデックス値の調整範囲を４つに等分割し、インデックス値の最小点、最大点、３つの分割線上の点の５点（Ｐ１〜Ｐ５）のインデックス値を順次、遅延回路１０７に設定する。そして、それぞれの点において、カラーセンサ７０からの３つの受光信号を取得し、これら受光信号に基づいて色度（ｘ値、ｙ値）を求める（Ｓ１０２）。たとえば、受光信号から色度を求めるために、所定の演算式やルックアップテーブルが用いられ得る。
【００６４】
スクリーンに投写されたラスタパターンに基づく映像光（オン光）を、カラーセンサ７０で検出する場合には、ラスタパターンの色純度が高いほどｘ値が大きくなる。しかしながら、本実施の形態では、ラスタパターンを投写したときのＤＭＤ５０からのオフ光がカラーセンサ７０によって受光される。このため、スクリーン上のラスタパターンのｘ値が高くなるほど、カラーセンサ７０の受光信号から求められるオフ光のｘ値は小さくなる。
【００６５】
ＣＰＵ１１０は、５点のインデックス値の中から、ラスタパターンのｘ値が最大となる、即ち、オフ光のｘ値が最小となるインデックス値を抽出する（Ｓ１０３）。そして、図５（ｂ）に示すように、抽出したインデックス値（Ｐ３）前後の点であって、前回の前後の測定点（Ｐ２、Ｐ４）の半分の間隔の２点（Ｐ６、Ｐ７）において、ステップＳ１０２と同様にして、色度（ｘ値、ｙ値）を求める（Ｓ１０４）。
【００６６】
次に、ＣＰＵ１１０は、３点（Ｐ６、Ｐ３、Ｐ７）のインデックス値の中から、ラスタパターンのｘ値が最大となる（オフ光のｘ値が最小となる）インデックス値を抽出する（Ｓ１０５）。
【００６７】
次に、ＣＰＵ１１０は、インデックス値の分解能が最小となったか否かを判定する（Ｓ１０６）。たとえば、インデックス値が１刻みに設定されている場合には、３つのインデックス値が連続した整数となり、次の前後の２点が取れなくなったときに、分解能が最小となったと判定する。
【００６８】
ＣＰＵ１１０は、分解能が最小でないと判定すると（Ｓ１０６：ＮＯ）、ステップＳ１０４の処理に戻り、図５（ｃ）に示すように、再び、抽出したインデックス値（Ｐ３）の前後の２点（Ｐ８、Ｐ９）において、色度（ｘ値、ｙ値）を求める（Ｓ１０４）。
【００６９】
こうして、ステップＳ１０６において、インデックス値の分解能が最小となった判定されるまで、ステップＳ１０４〜Ｓ１０６の処理を繰り返す。これにより、ラスタパターンの色純度がピークとなるインデックス値に近づいていく。やがて、図５（ｄ）に示すように、３つのインデックス値が連続した整数となり、インデックス値の分解能が最小になると（Ｓ１０６：ＹＥＳ）、ＣＰＵ１１０は、最後に抽出したインデック値（Ｐｎ）を、色純度がピークとなるインデックス値、即ち、最適なインデックス値として、遅延回路１０７に設定する（Ｓ１０７）。そして、映像信号処理回路１０５にラスタパターンの投写を停止させて（Ｓ１０８）、処理を終了する。
【００７０】
図６は、本実施の形態の効果について説明するための図である。
【００７１】
本実施の形態によれば、インデックス調整処理によって、インデックス値（遅延時間）が調整される。たとえば、図６（ａ）のように、マーカー２１ａの位置が、設計位置であるＣセグメントとＢセグメントとの境界位置からＣセグメント側にずれると、インデック
ス値（遅延時間）が、設計位置の値（時間）Ｔ０よりも小さな値（短い時間）Ｔ１に設定される。また、図６（ｂ）のように、マーカー２１ａの位置が、設計位置からＢセグメント側にずれると、インデックス値（遅延時間）が、設計位置の値（時間）Ｔ０よりも大きな値（長い時間）Ｔ２に設定される。この結果、マーカー２１ａや位置センサ２３の取付位置に製造上の誤差が生じ、インデックス信号と各セグメントとの回転位置との関係にずれが生じても、カラーホイール２１の回転タイミングとＤＭＤ５０へのＤＭＤ制御信号の出力タイミングの同期を適正にとることができる。よって、良好な画質を維持することが可能となる。
【００７２】
また、本実施の形態によれば、プロジェタ本体に内蔵したカラーセンサ７０を用いて、インデックス調整処理を行うようにしている。このため、調整時に、別途、カラーセンサをプロジェクタへ接続するような構成と違って、プロジェクタ１の製造時だけでなく、ユーザが自身でカラーホイールユニット２０を交換した場合でも、インデックス値の調整を行うことができる。よって、カラーホイール２１の回転タイミングとＤＭＤ５０へのＤＭＤ制御信号の出力タイミングとの同期の適正化をより良好に図ることができる。
【００７３】
さらに、本実施の形態では、カラーセンサ７０をＤＭＤ５０からのオフ光の光路上に配置することにより、オン光の裏返しの特性となるオフ光を利用してインデックス調整処理を行う構成としたので、通常の運転時に、カラーセンサ７０がスクリーンに投写される映像光（オン光）の妨げにならない。
【００７４】
以上、本実施の形態について説明したが、上記実施の形態と同様に、ラスタパターンの色純度のピークを検出することにより、インデックス値の調整だけでなく、純正品のカラーホイールユニット２０が搭載されているか否かの識別を行うようにすることもできる。ここで、ＣＰＵ１１０は、カラーホイールユニット２０が純正品でないと識別すると、たとえば、上記インデックス値の調整のための制御を中止する。
【００７５】
以下、第１の識別処理および第２の識別処理について説明する。
【００７６】
まず、第１の識別処理について説明する。第１の識別処理では、Ｒ、ＧおよびＢの各セグメント２１Ｒ、２１Ｇ、２１Ｂの角度が適正であるか否かを判定することにより、カラーホイールユニット２０純正品であるかが識別される。
【００７７】
図７は、第１の識別処理に係る制御動作を示すフローチャートである。また、図８および図９は、赤色のラスタパターンを投写したときのインデックス値に対する色度の変化特性を示す図である。図８（ａ）は、カラーホイールユニット２０が純正品である場合の変化特性を示し、図８（ｂ）は、Ｒセグメント２１Ｒの角度が純正品より小さい場合の変化特性を示す。図８（ｃ）は、Ｒセグメント２１Ｒの角度が純正品より小さい場合に、色純度のピークとなったときのＲセグメント２１ＲとＲ信号と関係を示す。図９（ａ）は、カラーホイールユニット２０が純正品である場合の変化特性を示し、図９（ｂ）は、Ｒセグメント２１Ｒの角度が純正品より大きい場合の変化特性を示す。図９（ｃ）は、Ｒセグメント２１Ｒの角度が純正品より大きい場合に、色純度のピークとなったときのＲセグメント２１ＲとＲ信号と関係を示す。
【００７８】
図７を参照して、ＣＰＵ１１０は、赤単色からなるラスタパターン（テスト画像）を映像信号処理回路１０５に生成させて、スクリーンへ投写させる（Ｓ２０１）。次に、ＣＰＵ１１０は、ラスタパターンの色純度のピークを検出する（Ｓ２０２）。ステップＳ２０２では、図４のインデックス調整処理におけるステップＳ１０２からＳ１０６と同様の処理が実行される。なお、後述のように、色純度のピークが連続する場合は、Ｓ１０５と同様な処理において、３点のｘ値が同じとなることがある。この場合は、中央の点のインデ
ックス値をｘ値が最大のインデックス値として抽出する。
【００７９】
ここで、プロジェクタに搭載されたカラーホイールユニット２０が純正品でなく、Ｒセグメント２１Ｒの角度が純正品より小さい場合には、図８（ｃ）に示すように、カラーホイール２１の回転タイミングとＤＭＤ５０へのＤＭＤ制御信号の出力タイミングの同期が適正にとれていても、Ｒ信号の出力期間にＲ光以外の光がＤＭＤ５０に照射される。このため、ラスタパターンの色純度は低くなり、図８（ｂ）に示すように、色純度がピークのときのｘ値は、図８（ａ）に示す純正品に比べて小さくなる。
【００８０】
上述したように、ＣＰＵ１１０がカラーセンサ７０の受光信号から求めるｘ値は、オフ光の値である。このため、セグメント２１Ｒの角度が純正品より小さい場合、オフ光の値は、純正品に比べて色度ｘの値が大きくなる。
【００８１】
ＣＰＵ１１０は、オフ光のｘ値を所定の閾値と比較することにより、色純度のピーク値が純正品と同程度か否かを判定する（Ｓ２０３）。ここで、色純度がピークであるときのｘ値は、純正品のカラーホイールユニット２０のＲセグメント２１Ｒの角度やセグメントの分光特性により異なってくるため、これらの条件を考慮して閾値が設定される。オフ光のｘ値が閾値より大きい場合には、色純度のピーク値が純正品と同程度でないと判定できる。
【００８２】
Ｒセグメント２１Ｒの角度が純正品より小さいことにより、ＣＰＵ１１０は、色純度のピーク値が純正品と同程度でないと判定すると（Ｓ２０３:ＹＥＳ）、カラーホイールユニット２０が純正品でない旨をＯＳＤ表示や音声により報知する（Ｓ２０５）。一方、Ｒセグメント２１Ｒの角度が適正であることにより、ＣＰＵ１１０は、色純度のピーク値が純正品と同程度であると判定すると（Ｓ２０３:ＮＯ）、色純度のピークが連続しているか否かを判定する（Ｓ２０４）。
【００８３】
プロジェクタに搭載されたカラーホイールユニット２０が純正品でなく、Ｒセグメント２１Ｒの角度が純正品より大きい場合には、図９（ｃ）に示すように、インデックス値が変わっても、しばらくの間、Ｒ信号の出力期間全体に亘ってＲ光がＤＭＤ５０に照射されるので、図９（ｂ）に示すように、色純度のピークが連続する、即ち、ｘ値の最大値が複数個存在することになる（オフ光のｘ値の場合には、最小値が複数個存在することになる）。
【００８４】
Ｒセグメント２１Ｒの角度が純正品より大きいことにより、ＣＰＵ１１０は、色純度のピークが連続していると判定すると（Ｓ２０４：ＹＥＳ）、カラーホイールユニット２０が純正品でない旨をＯＳＤ表示や音声により報知する（Ｓ２０５）。
【００８５】
一方、Ｒセグメント２１Ｒの角度が適正であることにより、ＣＰＵ１１０は、色純度のピークが連続してないと判定すると（Ｓ２０４：ＮＯ）、ステップＳ２０１に戻り、緑単色からなるラスタパターンを映像信号処理回路１０５に生成させて、スクリーンへ投写させる。この場合、映像信号処理回路１０５からは、Ｇ光に対応するＤＭＤ制御信号のみが、このＤＭＤ制御信号の出力タイミングで出力される。
【００８６】
次に、ＣＰＵ１１０は、赤色のラスタパターンの場合と同様に、ステップＳ２０２からＳ２０４の処理を行う。ＧセグメントＧ２１の角度が純正品とは異なることにより、ラスタパターンの色純度のピーク値が純正品と同程度でないと判定するか、色純度のピークが連続していると判定すれば、ＣＰＵ１１０は、カラーホイールユニット２０が純正品でない旨をＯＳＤ表示や音声により報知する（Ｓ２０５）。
【００８７】
なお、緑色のラスタパターンの場合には、ラスタパターンの色純度がピークになると、色度（ｘ値、ｙ値）の中のｙ値が最大となる。この場合、オフ光のｙ値は最小と際なる。よって、ステップＳ２０３では、オフ光のｙ値が、それに対応する閾値より大きければ、色純度のピーク値が純正品と同程度でないと判定される。また、ステップＳ２０４では、オフ光のｙ値の最小値が複数個あれば、色純度のピークが連続していると判定される。
【００８８】
Ｇセグメント２１Ｇの角度が適正であれば、ＣＰＵ１１０は、再び、ステップＳ２０１に戻り、青単色からなるラスタパターンを映像信号処理回路１０５に生成させて、スクリーンへ投写させる。この場合、映像信号処理回路１０５からは、Ｂ光に対応するＤＭＤ制御信号のみが、このＤＭＤ制御信号の出力タイミングで出力される。
【００８９】
ＣＰＵ１１０は、赤色および緑色のラスタパターンの場合と同様に、ステップＳ２０２からＳ２０４の処理を行う。ＢセグメントＢ２１の角度が純正品とは異なることにより、ラスタパターンの色純度のピーク値が純正品と同程度でないと判定するか、色純度のピークが連続していると判定すれば、ＣＰＵ１１０は、カラーホイールユニット２０が純正品でない旨をＯＳＤ表示や音声により報知する（Ｓ２０５）。
【００９０】
なお、青色のラスタパターンの場合には、ラスタパターンの色純度がピークになると色度（ｘ値、ｙ値）の中のｘ値あるいはｙ値が最小となる。この場合、オフ光のｘ値あるいはｙ値は最大となる。よって、ステップＳ２０３では、たとえば、オフ光にのｙ値が、それに対応する閾値より小さければ、色純度のピーク値が純正品と同程度でないと判定される。また、ステップＳ２０４では、たとえば、オフ光のｙ値の最大値が複数個あれば、色純度のピークが連続していると判定される。
【００９１】
こうして、Ｂセグメント２１Ｂの角度が適正であり、赤色、緑色および青色の全てラスタパターンの投写が終われば（Ｓ２０６：ＹＥＳ）、処理を終了する。
【００９２】
ＲＧＢ３つのセグメント２１Ｒ、２１Ｇ、２１Ｂが適正であり、これら主となるセグメントが適正であれば、カラーホイールユニット２０は、純正品である確率が高いと考えられる。しかしながら、ＲＧＢの他の色のセグメントがある場合に、さらに識別精度を高めたいと考えるのであれば、さらに、他の色のセグメントの角度の適否を判定するようにしても良い。
【００９３】
次に、第２の識別処理について説明する。第２の識別処理では、セグメントの個数を検出することにより、カラーホイールユニット２０が純正品であるかが識別される。
【００９４】
図１０は、第２の識別処理に係る制御動作を示すフローチャートである。また、図１１（ａ）、（ｂ）、（ｃ）は、それぞれ、赤色のラスタパターン、緑色のラスタパターン、青色のラスタパターンを投写したときのインデックス値に対する色度の変化特性を示す図である。図１２（ａ）、（ｂ）、（ｃ）は、それぞれ、赤色のラスタパターン、緑色のラスタパターン、青色のラスタパターンを投写したときのインデックス値に対する色度の１回微分値の変化特性を示す図である。なお、図１１、図１２は、ＲＧＢＷの４つのセグメントを有するカラーホイールユニットが搭載された場合を示すものである。
【００９５】
図１０を参照して、ＣＰＵ１１０は、まず、映像信号処理回路１０５に赤色のラスタパターンを投写させる（Ｓ３０１）。そして、インデックス値を変化させつつ、各インデックス値におけるラスタパターンの色度（ｘ値、ｙ値）（実際には、オフ光の色度）を求める（Ｓ３０２）。同様に、緑色のラスタパターンおよび青色ラスタパターンについて、各インデックス値におけるラスタパターンの色度を求める（Ｓ３０１、Ｓ３０２）。そして、赤色、緑色、青色の全てのラスタパターンで色度の測定が完了すると（Ｓ３０３：ＹＥ
Ｓ）、ＣＰＵ１１０は、全てのインデックス値における色度に基づいて、色純度のピークの個数をカウントする（Ｓ３０４）。
【００９６】
赤色のラスタパターンが投写された場合、インデックス値を変えていくことにより、Ｒ信号の出力期間に、Ｒ光だけでなく、Ｒセグメント２１Ｒに隣接した他のセグメントを通過した光がＤＭＤ５０に照射される。たとえば、図１１（ａ）のように、Ｇ光やＷ光がＤＭＤ５０に照射されると、赤色の色純度のピーク（Ｑ２）だけでなく、緑色の色純度のピーク（Ｑ１）や白色の色純度のピーク（Ｑ３）が、ＣＰＵ１１０によって検出され得る。
【００９７】
同様に、緑色のラスタパターンが投写された場合も、図１１（ｂ）のように、緑色の色純度のピーク（Ｑ５）だけでなく、青色の色純度のピーク（Ｑ４）や赤色の色純度のピーク（Ｑ６）が、ＣＰＵ１１０によって検出され得る。さらに、青色のラスタパターンが投写された場合も、図１１（ｃ）のように、青色の色純度のピーク（Ｑ７）だけでなく、緑色の色純度のピーク（Ｑ８）が、ＣＰＵ１１０によって検出され得る。
【００９８】
これら色純度のピークでは、少なくともｘ値、ｙ値のどちらにピークが現れる。図１１に示すｘ値、ｙ値の変化曲線を１回微分すると、図１２（ａ）、（ｂ）、（ｃ）に示す１回微分の変化曲線では、ｘ値、ｙ値がピークとなるインデックス値において、その値が“０”となる。
【００９９】
ステップＳ３０４では、次のような処理が行われる。即ち、ＣＰＵ１１０は、まず、１回微分の変化曲線において値が“０”となるインデックス値を抽出する。図１１、図１２に示す例では、Ｑ１からＱ８の８つのピークのインデックス値が抽出される。
【０１００】
次に、ＣＰＵ１１０は、抽出したインデックス値の中からｘ値、ｙ値が同じ値となるインデックス値を抽出する。たとえば、ｘ値、ｙ値とも、それぞれの差が、±０.０２５の範囲内であれば、ｘ値、ｙ値が同じ値であるとみなす。図１１、図１２に示す例では、Ｑ１とＱ５のピーク、Ｑ２とＱ６のピーク、Ｑ４とＱ７のピークのｘ値、ｙ値が同じとみなされる。ＣＰＵ１１０は、ｘ値、ｙ値が同じピークを１つとして数え、ピークの個数を算出する。図１１、図１２に示す例では、色純度のピーク数は４個となる。こうして、ＣＰＵ１１０は、現在、プロジェクタに装着されているカラーホイールユニット２０のセグメント数は４個であると判定する。
【０１０１】
次に、ＣＰＵ１１０は、求めた色純度のピーク数、即ち、セグメント数が、純正品のセグメント数を同じであるか否かを判定し（Ｓ３０５）、同じであれば（Ｓ３０５：ＹＥＳ）、カラーホイールユニット２０は純正品であると考えられるので、そのまま処理を終了する。一方、同じでなければ（Ｓ３０５：ＮＯ）、ＣＰＵ１１０は、カラーホイールユニット２０が純正品でない旨をＯＳＤ表示や音声により報知する（Ｓ３０６）。
【０１０２】
このように、第１の識別処理や第２の識別処理を実行するような構成とすれば、プロジェクタに純正品のカラーホイールユニット２０が搭載されているか否かの識別を行うことができる。これにより、不適正なカラーホイールユニット２０が用いられることを防止でき、適正な画像品質を維持することが可能となる。
【０１０３】
以上、本実施の形態について説明したが、本発明は上記実施の形態に何ら制限されるものではなく、また、本発明の実施形態も、上記実施の形態に以外に、種々の変更が可能である。
【０１０４】
たとえば、上記実施の形態では、インデックス値の調整範囲全体から色純度のピークを絞り込むようにしている。しかしながら、マーカー２１ａや位置センサ２３が、その設計
位置からの大きくずれる可能性は低いと考えられる。このため、調整時間を短くすることを優先するのであれば、マーカー２１ａや位置センサ２３が設計位置に取り付けられた場合のインデックス値のある程度近くの範囲から、色純度のピークの絞り込みを開始するようにしても良い。
【０１０５】
また、上記実施の形態では、赤単色のラスタパターンを用いて、インデックス調整処理を行うようにしている。しかしながら、赤単色のラスタパターンに限らず、緑単色のラスタパターンや青単色のラスタパターンを用いるようにしても良い。この場合、緑色のラスタパターンの色純度がピークになると、色度（ｘ値、ｙ値）の中のｙ値が最大となるので、緑色のラスタパターンを用いる場合には、ラスタパターンのｙ値が最大（オフ光のｙ値が最小）であるか否かにより、色純度がピークとなるインデックス値を検出するとよい。また、青色のラスタパターンの色純度がピークになると、色度（ｘ値、ｙ値）の中のｘ値あるいはｙ値が最小となるので、青色のラスタパターンを用いる場合には、ラスタパターンのｘ値あるいはｙ値が最小（オフ光のｘ値あるいはｙ値が最大）であるか否かにより、色純度がピークとなるインデックス値を検出するとよい。
【０１０６】
さらに、上記実施の形態では、カラーセンサ７０がＤＭＤ５０からのオフ光の光路上に配置されている。しかしながら、これに限らず、投写光学系６０の出射側や、ＤＭＤ５０と投写光学系５０との間に、映像光の光路を開閉する遮光シャッターを設けるようにし、遮光シャッターにおける映像光の当たる面にカラーセンサ７０を配置するようにしても良い。この場合、インデックス調整処理が行われるときに、遮光シャッターが閉じられ、カラーセンサ７０が映像光の光路上に配置される。このようにすれば、通常の運転時に、カラーセンサ７０が映像光の妨げになることがなく、しかも、実際に、ラスタパターンに基づく映像光の色度（ｘ値、ｙ値）を、カラーセンサ７０によって検出することができる。
【０１０７】
さらに、上記実施の形態では、ＲＧＢＷＹＣの６個のセグメントからなるカラーホイールユニット２０が用いられているが、これに限らず、たとえば、ＲＧＢＷの４個のセグメントやＲＧＢの３個のセグメントからなるカラーホイールユニット２０が用いられても良い。
【０１０８】
さらに、上記実施の形態では、表示素子としてＤＭＤ５０が用いられているが、これに限らず、たとえば、反射型の液晶パネルが用いられてもよい。
【０１０９】
さらに、本発明は、１つの光源ランプおよびカラーホイールユニットを備えるプロジェクタ以外のプロジェクタにも適用することができる。たとえば、２つのカラーホイールユニットが、２つ光源ランプからの各光路中にそれぞれ配される構成のプロジェクタに適用することができる。また、２つのカラーホイールユニットが、光源ランプからの光路中に前後に並ぶように配される構成のプロジェクタに適用することもできる。
【０１１０】
この他、特許請求の範囲に示された技術的思想の範囲内において、適宜、種々の変更が可能である。
【符号の説明】
【０１１１】
２０  カラーホイールユニット
２１  カラーホイール
２１Ｗ  Ｗセグメント
２１Ｃ  Ｃセグメント
２１Ｂ  Ｂセグメント
２１Ｇ  Ｇセグメント
２１Ｙ  Ｙセグメント
２１Ｒ  Ｒセグメント
２２  モータ
２３  位置センサ（位置検出部）
５０  ＤＭＤ（表示素子）
７０  カラーセンサ（色検出部）
１０５  映像信号処理回路（信号処理部）
１０７  遅延回路（信号遅延部）
１０８  モータ制御回路（モータ制御部）
１１０  ＣＰＵ（調整部）
【図１】
2012003213.tif 000003
【図２】
2012003213.tif 000004
【図３】
2012003213.tif 000005
【図４】
2012003213.tif 000006
【図５】
2012003213.tif 000007
【図６】
2012003213.tif 000008
【図７】
2012003213.tif 000009
【図８】
2012003213.tif 000010
【図９】
2012003213.tif 000011
【図１０】
2012003213.tif 000012
【図１１】
2012003213.tif 000013
【図１２】
2012003213.tif 000014